(57)【特許請求の範囲】
【請求項１】
サッシ枠に障子を、室外側に突出した開き位置と閉じ位置とに亘って室内外側方向に回動自在に取り付け、
前記サッシ枠の室内側に網戸枠を取り付け、この網戸枠に網戸を取り付けした網戸付きのサッシ窓であって、
前記サッシ枠の左右の縦枠に、網戸枠取付部を有する滑車ブラケットを、その網戸枠取付部が室内側に向かうように取り付け、
前記網戸枠の左右の網戸縦枠は、滑車取付部と、この滑車取付部よりも室内側のワイヤー貫通部を有し、
前記網戸縦枠の滑車取付部の室外側面を前記滑車ブラケットの網戸枠取付部に接し、その滑車取付部の室内側面に開き用滑車の取付用ブラケットを接し、この取付用ブラケットと滑車ブラケットと網戸枠取付部を室内側から固着具で固着して網戸枠をサッシ枠の室内側に取り付けると共に、網戸枠の室内側に開き用滑車を取り付け、
前記サッシ枠と障子とに亘って、その障子を閉じ位置で保持及び保持解除する錠を取り付け、
前記錠を保持解除する開き用ワイヤーを、当該錠と前記開き用滑車との間で一直線状として網戸縦枠のワイヤー貫通部を貫通して前記開き用滑車を経て室内側に設けたことを特徴とするサッシ窓。
【請求項２】
前記錠は、サッシ枠に取り付けた錠本体の錠杆を障子に取り付けた錠受けに係脱して障子を閉じ位置で保持、保持解除すると共に、その錠杆を開き用ワイヤーで離脱動作して保持解除するようにし、
前記開き用ワイヤーを、前記開き用滑車と錠本体との間で面内方向に向かう一直線状とした請求項１記載のサッシ窓。
【請求項３】
前記網戸枠の網戸縦枠にワイヤー貫通穴を、前記錠本体のワイヤー連結部と面外方向にほぼ同一位置として形成し、
前記縦戸縦枠の室内側面に開き用滑車を、そのワイヤー巻掛け部が前記ワイヤー貫通穴とほぼ同じ高さとなるように取り付け、
前記開き用ワイヤーを、ワイヤー貫通穴を貫通して開き用滑車のワイヤー巻掛け部を経て室内側に設けた請求項２記載のサッシ窓。
【請求項４】
前記錠は、障子を開き位置から閉じ位置に回動することで障子を閉じ位置で保持する構成とし、
前記障子を付勢手段で開き位置に向けて回動付勢し、
前記障子に閉じ用ワイヤーを連結すると共に、前記網戸枠の室内側に閉じ用滑車を取り付け、
前記閉じ用ワイヤーを網戸枠を貫通して前記閉じ用滑車を経て室内側に設けた請求項１又は２又は３記載のサッシ窓。
【請求項５】
前記開き用滑車は、取付用ブラケットにプーリを、面外方向に向かう支軸で面内方向に回転自在で、かつ面内方向に向かう支軸で上下方向に揺動可能に取り付け、
前記網戸縦枠のワイヤー貫通部にワイヤー貫通穴を形成し、このワイヤー貫通穴を貫通した開き用ワイヤーを前記プーリを経て室内側に設け、
前記ワイヤー貫通穴を、前記プーリの揺動中心を中心とするほぼ円弧形状とした請求項１〜４いずれか１項記載のサッシ窓。
【請求項６】
前記滑車ブラケットの網戸枠取付部と網戸縦枠の滑車取付部と開き用滑車の取付用ブラケットを、共通の固着具で固着した請求項１〜５いずれか１項記載のサッシ窓。
【発明の詳細な説明】
【技術分野】
【０００１】
本発明は、排煙窓などとして用いる網戸を備えた外倒し窓や、外開き窓などのサッシ窓に関する。
【背景技術】
【０００２】
外倒し窓や外開き窓などのように、サッシ枠に障子を、室外側に突出した閉じ位置と開き位置とに亘って室内外側方向に回動可能に取り付けしたサッシ窓は、そのサッシ枠の室内側に網戸を、障子と干渉しないように取り付けることができる。
前述のサッシ窓を、離れた場所から開閉操作できるようにすることがある。例えば、外倒し窓を床よりも高い位置に設置して排煙窓として用いる場合には、その障子を開閉操作するワイヤーをサッシ枠から室内側に垂れ下げ、そのワイヤーを操作することで障子を開き位置、閉じ位置に回動できるようにしている。
【０００３】
例えば、障子を閉じ位置で保持する錠を設けると共に、この錠を解錠することで障子の保持を解除し、その障子が開き位置まで回動して外倒し窓が開放するようにし、前記錠を解錠する開き用ワイヤーと、開き位置の障子を閉じ位置まで回動する閉じ用ワイヤーを設ける。
前記開き用ワイヤーと閉じ用ワイヤーをサッシ枠から室内側に垂れ下げ、その各ワイヤーを引張り操作することで障子を開き位置と閉じ位置に回動できるようにする。
【０００４】
前述したように、開き用ワイヤー、閉じ用ワイヤーで障子を開閉する外倒し窓において、そのサッシ枠の室内側に網戸を取り付けすると、その網戸のために前述の各ワイヤーをサッシ枠から室内側に垂れ下げることができないことがある。
【０００５】
このことを解消するために、特許文献１に開示した外倒し窓が提案されている。
この外倒し窓は、サッシ枠の室内側に網戸枠を取り付けると共に、その網戸枠に網戸を取り付けている。
そして、サッシ枠の縦枠にサッシ側滑車を取り付けると共に、網戸枠の網戸縦枠の室内側に網戸側滑車を取り付け、開き用ワイヤー、閉じ用ワイヤーを、前記サッシ枠側滑車を経て網戸縦枠の孔を通して網戸枠側滑車に巻き掛けることで、網戸枠よりも室内側に垂れ下げている。
この外倒し窓であれば、サッシ枠の室内側に網戸が取り付けてあっても、開き用ワイヤー、閉じ用ワイヤーを操作することで障子を開閉することができる。
【先行技術文献】
【特許文献】
【０００６】
【特許文献１】特開２００８−１３３６２５号公報
【発明の概要】
【発明が解決しようとする課題】
【０００７】
前述した従来の外倒し窓においては、開き用ワイヤーの動作方向を、サッシ側滑車で面外方向から面内方向に転向し、面内方向に向かう開き用ワイヤーの動作方向を網戸側滑車で下向きとし、網戸枠から室内側に垂れ下げているので、２つの滑車が必要のため部品点数が多くコスト高であると共に、２つの滑車をそれぞれ取り付けるので、その取り付けが面倒で、時間がかかり、外倒し窓の取り付けコストが高い。
【０００８】
本発明の目的は、障子を開放するための開き用ワイヤーを１つの滑車によって網戸枠から室内側に設けることができるようにしたサッシ窓とすることである。
【課題を解決するための手段】
【０００９】
本発明は、サッシ枠に障子を、室外側に突出した開き位置と閉じ位置とに亘って室内外側方向に回動自在に取り付け、
前記サッシ枠の室内側に網戸枠を取り付け、この網戸枠に網戸を取り付けした網戸付きのサッシ窓であって、
前記サッシ枠の左右の縦枠に、網戸枠取付部を有する滑車ブラケットを、その網戸枠取付部が室内側に向かうように取り付け、
前記網戸枠の左右の網戸縦枠は、滑車取付部と、この滑車取付部よりも室内側のワイヤー貫通部を有し、
前記網戸縦枠の滑車取付部の室外側面を前記滑車ブラケットの網戸枠取付部に接し、その滑車取付部の室内側面に開き用滑車の取付用ブラケットを接し、この取付用ブラケットと滑車ブラケットと網戸枠取付部を室内側から固着具で固着して網戸枠をサッシ枠の室内側に取り付けると共に、網戸枠の室内側に開き用滑車を取り付け、
前記サッシ枠と障子とに亘って、その障子を閉じ位置で保持及び保持解除する錠を取り付け、
前記錠を保持解除する開き用ワイヤーを、当該錠と前記開き用滑車との間で一直線状として網戸縦枠のワイヤー貫通部を貫通して前記開き用滑車を経て室内側に設けたことを特徴とするサッシ窓である。
【００１０】
本発明のサッシ窓においては、前記錠は、サッシ枠に取り付けた錠本体の錠杆を障子に取り付けた錠受けに係脱して障子を閉じ位置で保持、保持解除すると共に、その錠杆を開き用ワイヤーで離脱動作して保持解除するようにし、
前記開き用ワイヤーを、前記開き用滑車と錠本体との間で面内方向に向かう一直線状とすることができる。
このようにすれば、開き用ワイヤーを引張ることで錠本体の錠杆を錠受けから離脱動作して障子の保持を解除できるから、障子を開き位置に回動することができる。
【００１１】
本発明のサッシ窓においては、前記網戸枠の網戸縦枠にワイヤー貫通穴を、前記錠本体のワイヤー連結部と面外方向にほぼ同一位置として形成し、
前記縦戸縦枠の室内側面に開き用滑車を、そのワイヤー巻掛け部が前記ワイヤー貫通穴とほぼ同じ高さとなるように取り付け、
前記開き用ワイヤーを、ワイヤー貫通穴を貫通して開き用滑車のワイヤー巻掛け部を経て室内側に設けることができる。
このようにすれば、錠本体と開き用滑車との間の開き用ワイヤーがほぼ水平となるので、その開き用ワイヤーを引張ることで錠本体の錠杆をスムーズに解錠動作できる。
【００１２】
本発明のサッシ窓においては、前記錠は、障子を開き位置から閉じ位置に回動することで障子を閉じ位置で保持する構成とし、
前記障子を付勢手段で開き位置に向けて回動付勢し、
前記障子に閉じ用ワイヤーを連結すると共に、前記網戸枠の室内側に閉じ用滑車を取り付け、
前記閉じ用ワイヤーを網戸枠を貫通して前記閉じ用滑車を経て室内側に設けることができる。
このようにすれば、錠を保持解除することで障子が自動的に開き位置まで回動する。
しかも、閉じ用ワイヤーを引張って障子を閉じ位置に回動して閉じ位置で保持することができる。
【００１５】
本発明のサッシ窓においては、前記開き用滑車は、取付用ブラケットにプーリを、面外方向に向かう支軸で面内方向に回転自在で、かつ面内方向に向かう支軸で上下方向に揺動可能に取り付け、
前記網戸縦枠のワイヤー貫通部にワイヤー貫通穴を形成し、このワイヤー貫通穴を貫通した開き用ワイヤーを前記プーリを経て室内側に設け、
前記ワイヤー貫通穴を、前記プーリの揺動中心を中心とするほぼ円弧形状とすることができる。
このようにすれば、開き用ワイヤーを斜め室内側に向けて引張ってもプーリから外れることがないし、その開き用ワイヤーがワイヤー貫通穴と干渉することがない。
【００１６】
本発明のサッシ窓においては、前記滑車ブラケットの網戸枠取付部と網戸縦枠の滑車取付部と開き用滑車の取付用ブラケットを、共通の固着具で固着することができる。
このようにすれば、網戸縦枠と開き用滑車を簡単に滑車ブラケットに取り付けできると共に、固着具の数を少なくできる。
【発明の効果】
【００１７】
本発明によれば、障子を開放するための開き用ワイヤーを１つの滑車によって網戸枠から室内側に設けることができるので、その滑車の取り付けが簡単で、短時間に取り付けでき取り付けコストが安いサッシ窓である。
既設のサッシ窓に網戸を後付けすることができる。
網戸縦枠の滑車取付部を、滑車ブラケットの網戸枠取付部と取付用ブラケットで挟むようにして取り付けているので、開き用滑車に負荷する荷重で網戸縦枠が変形などすることがない。
網戸を取り付けるために網戸枠と滑車ブラケットを付加すれば良く、その追加部品等を極力削減できる。
【図面の簡単な説明】
【００１８】
【図１】本発明の実施の形態を示す網戸付外倒し窓の概略内観図である。
【図２】図１のＡ−Ａ拡大詳細断面図である。
【図３】図１のＢ−Ｂ拡大詳細断面図である。
【図４】図３の滑車ブラケットの取付部分の拡大図である。
【図５】図１の上部分の拡大詳細内観図である。
【図６】図５のＣ−Ｃ断面図である。
【図７】図５のＤ−Ｄ拡大断面図である。
【図８】図５のＥ−Ｅ拡大断面図である。
【図９】左右の縦枠、網戸縦枠、滑車ブラケットの分解斜視図である。
【発明を実施するための形態】
【００１９】
図１に示すように、サッシ枠１に障子２が、室外側に突出した開き位置とサッシ枠１内の閉じ位置とに亘って室内外側方向に回動自在に取り付けてサッシ窓、例えば外倒し窓としてある。
前記サッシ枠１の室内側に網戸枠３が取り付けてある。
この網戸枠３に網戸３ａを取り付けて網戸付きの外倒し窓としてある。
前記サッシ枠１は、上枠１０と下枠１１と左右の縦枠１２，１２を方形状に連結してある。
前記障子２は、上框２０と下框２１と左右の縦框２２，２２を方形状に連結し、その内部にガラス等のパネルが装着してある。
前記網戸枠３は、網戸上枠３０と網戸下枠３１と左右の網戸縦枠３２を方形状に連結してある。
【００２０】
前記サッシ枠１と障子２とに亘って付勢手段４、錠５がそれぞれ取り付けてある。
前記付勢手段４は障子２を開き位置に向けて回動付勢して開き位置に保持するもの、例えばダンパーで、サッシ枠１の左右の縦枠１２と障子２の左右の縦框２２とに亘ってそれぞれ取り付けてある。
前記錠５は、施錠状態において障子２を閉じ位置に保持し、障子２が付勢手段４で開き位置に回動しないように保持する。
前記錠５は、解錠状態において障子２の保持を解除し、閉じ位置の障子２が付勢手段４で開き位置に向けて回動可能とする。
この錠５は、例えばラッチ錠で、上枠１０と上框２０とに亘って取り付けてある。
【００２１】
前記錠５は、開き用ワイヤー６ａで解錠操作されて保持を解除すると共に、開き位置の障子２を閉じ位置に向けて回動することで障子２を閉じ位置に保持される。
この開き用ワイヤー６ａと前記錠５は、障子２と網戸３ａとの間に位置し、その開き用ワイヤー６ａは左右一方の網戸縦枠３２を貫通して室内側に突出している。前記錠５と網戸縦枠３２との間のワイヤー部分は一直線状で、作動方向を転向していない。
そして、左右一方の網戸縦枠３２の室内側に取り付けた開き用滑車７ａを経て網戸枠３の室内側に設けてある。例えば垂れ下げてある。
このようであるから、障子２を開放するための開き用ワイヤー６ａを１つの滑車（開き用滑車７ａ）によって網戸枠３から室内側に設けること、例えば垂れ下げることができる。
【００２２】
前述の開き位置の障子２を閉じ位置に回動する閉じ用ワイヤー６ｂは、左右他方の網戸縦枠３２を貫通して室内側に突出している。
そして、左右他方の網戸縦枠３２の室内側に取り付けた閉じ用滑車７ｂを経て網戸枠３の室内側に設けてある。例えば垂れ下げてある。
この閉じ用ワイヤー６ｂを室内側から引張ることで開き位置の障子を閉じ位置に回動できる。
【００２３】
前記開き用滑車７ａ、閉じ用滑車７ｂは、左右の縦枠１２に固着した左右の滑車ブラケット８に固着具で固着されることで左右の網戸縦枠３２の室内側にそれぞれ取り付けてある。
このようであるから、開き用ワイヤー６ａ、閉じ用ワイヤー６ｂを引張り操作して障子２を開閉するときに各滑車７ａ，７ｂにかかる荷重は、滑車ブラケット８を介してサッシ枠１で支持することができ、その荷重によって網戸枠３が変形等することがない。
【００２４】
前述の滑車ブラケット８と滑車７ａ，７ｂを固着する固着具によって、前記滑車ブラケット８と網戸縦枠３２を固着し、滑車７ａ，７ｂと網戸縦枠３２を滑車ブラケット８に共締めすれば、組み立て作業性が著しく向上するばかりか、作業効率を向上できると共に、固着具の数を少なくしてコスト低減できる。
【００２５】
次に、網戸枠３の取り付けについて説明する。
前述のように、左右の縦枠１２の上部寄りに滑車ブラケット８がそれぞれ固着して取り付けてあると共に、下部寄りに網戸ブラケット９がそれぞれ固着して取り付けてある。
これらの各ブラケット８，９は、サッシ枠１を建物躯体に取り付けた状態で、左右の縦枠１２にそれぞれ固着して取り付けできる。
つまり、各ブラケット８，９は、既設のサッシ枠１に後付け可能である。
前記網戸枠３は、サッシ枠１に取り付けた前述の各ブラケット８，９に固着して取り付けできるようにしてある。
このようであるから、既設のサッシ枠１に網戸枠３を簡単に後付けして網戸付き外倒し窓とすることが可能である。
前記滑車ブラケット８と網戸ブラケット９は同一で、部品点数を少なくできるようにしてある。
これに限らず、滑車ブラケット８と網戸ブラケット９を異なる形状としても良い。
【００２６】
次に、各部の詳細を説明する。なお、図１は本発明の理解を容易とするために外倒し窓の全体を概略的に図示してあり、後述する具体形状と寸法、形状等が相違することがある。
図２に示すようにサッシ枠１の下枠１１と障子２の下框２１がヒンジ１３で室内外側方向に回動自在に連結されている。このヒンジ１３は水平な回転軸を有している。
前記付勢手段４は、図２、図３に示すように、左右の縦枠１２に固着した枠側ブラケット４０と、左右の縦框２２に固着した框側ブラケット４１とに亘ってピン４２で回動自在に連結してある。
この付勢手段４は、障子２を開き位置に向けて回動すると共に、その開き位置でゆっくりと停止する緩衝機能を有する。例えば、ダンパーとしてある。
前記左右の付勢手段４は、障子２の左右の縦框２２よりも面内方向に内側に張り出すことがないようにしてある。
【００２７】
前記上枠１０は、本体１０ａと、この本体１０ａの室内側部に設けた室内側取付片１０ｂを備え、その室内側取付片１０ｂが建物開口部１４の上内面１４ａに固着具１５で固着してある。
前記下枠１１、縦枠１２も同様に、本体１１ａ，１２ａと室内側取付片１１ｂ，１２ｂを備え、その室内側取付片１１ｂ，１２ｂが建物開口部１４の下内面１４ｂ、縦内面１４ｃに固着具１５でそれぞれ固着してある。これによって、サッシ枠１の室内側には室内側取付片１０ｂ，１１ｂ，１２ｂが四周連続して備えている。
前記各本体１０ａ，１１ａ，１２ａがアルミ製で、各室内側取付片１０ｂ，１１ｂ，１２ｂが樹脂製としてある。
前述の本体と室内側取付片を同一材料としても良いし、一体でも良い。
【００２８】
前記網戸上枠３０、網戸下枠３１の室内側部分に網戸取付部３０ａ，３１ａを有する。
前記網戸上枠３０の室外側部分は、上枠１０の室内側取付片１０ｂの面内方向内側面と隙間を置いて対向し、網戸下枠３１の室外側部分は下枠１１の室内側取付片１１ｂの面内方向内側面と接し、網戸縦枠３２の室外側部分は縦枠１２の室内側取付片１２ｂの面内方向内側面と隙間を置いて対向している。
前記各室外側部分は面外方向（室内外側方向）に向いている。
このようであるから、網戸枠３の室外側部分はサッシ枠１の室内側部分に、室内側から挿入可能である。
前記網戸上枠３０、網戸縦枠３２の室外側部分には気密材３３が面内方向の外側に向けてそれぞれ装着してあり、この各気密材３３が前記上枠１０、縦枠１２の室内側取付片１０ｂ，１２ｂに接して気密している。なお、網戸下枠３１の室外側部分に気密材を設けて下枠１１の室内側取付片１１ｂに接して気密しても良い。
【００２９】
前記網戸縦枠３２は、図４に示すように、前述した面外方向に向かう室外側部分３２ａと、この室外側部分３２ａの室内側端と連続し面内方向の内側に向かう滑車取付部３２ｂと、この滑車取付部３２ｂの面内方向の内側端と連続し面外方向の室内側に向かうワイヤー貫通部３２ｃと、このワイヤー貫通部３２ｃの室内側端に設けた網戸取付部３２ｄを備えたほぼクランク形状である。
【００３０】
前記滑車ブラケット８は、枠取付部８ａと網戸枠取付部８ｂを備え、その枠取付部８ａを縦枠１２の本体１２ａの面内方向の内側面に接し、サッシ枠１の面内方向内側から固着具８０で固着して取り付けてあるので、サッシ枠１を建物躯体に取り付けた状態で滑車ブラケット８を取り付けできるから、滑車ブラケット８はサッシ枠１に後付け可能である。
しかも、滑車ブラケット８を前述のように縦枠１２に取り付けることで、網戸枠取付部８ｂが室内側に向かうようにしてある。
【００３１】
前記滑車ブラケット８の詳細を説明する。
前記滑車ブラケット８は、面外方向に向かう枠取付片８１と、この枠取付片８１の室内側端と連続して面内方向の内側に向かう横向片８２と、この横向片８２の面内方向の内側端と連続し面外方向の室内側に向かう中間片８３と、この中間片８３の室内側端と連続し面内方向の内側に向かう網戸枠取付片８４でほぼクランク形状で、その枠取付片８１が前述の枠取付部８ａで、網戸枠取付片８４が前述の網戸枠取付部８ｂである。
【００３２】
前記滑車ブラケット８を前述のように縦枠１２に取り付けした状態で、網戸枠３を室内側から室外側に向けてサッシ枠１内に挿入することで、網戸縦枠３２の室外側部分３２ａが、縦枠１２の室内側取付片１２ｂと滑車ブラケット８の中間片８３との間に入り込み、滑車ブラケット８の網戸枠取付片８４（網戸枠取付部８ｂ）に、網戸縦枠３２の滑車取付部３２ｂが接すると共に、ワイヤー貫通部３２ｃが錠５と対向する。
そして、網戸縦枠３２の室外側部分３２ａと滑車ブラケット８の中間片８３が接し、網戸縦枠３２の滑車取付部３２ｂと滑車ブラケット８の網戸枠取付部８ｂを固着具８５で固着して網戸縦枠３２を滑車ブラケット８に取り付け、網戸枠３をサッシ枠１の室内側に取り付ける。前記固着具８５は面外方向に向かうと共に、室内側から固着される。
なお、網戸ブラケット９は前述の滑車ブラケット８と同一形状である。
【００３３】
前述のようにして網戸枠３をサッシ枠１の室内側に取り付けた後に、その網戸枠３に網戸３ａを取り付ける。
このようであるから、建物に取り付けてある外倒し窓、つまり、既設の外倒し窓に網戸３ａを簡単に後付けして網戸付き外倒し窓とすることができる。
【００３４】
前記網戸３ａの取り付けについて説明する。
前記網戸３ａは、図２、図３に示すように、枠体３５に防虫網３６を張設したもので、その枠体３５が網戸枠３の網戸取付部（各網戸取付部３０ａ，３１ａ，３２ｄ）の室内側面に接すると共に、前記枠体３５に設けた係止片３７を網戸上枠３０、網戸下枠３１の網戸取付部３０ａ，３１ａの室外側面に接して網戸３ａを取り付ける。
前記係止片３７は、網戸上枠３０、網戸下枠３１の網戸取付部３０ａ，３１ａと干渉しない取付け姿勢と、その網戸取付部３０ａ，３１ａの室外側面に接する保持姿勢とに亘って回動可能で、網戸３ａを取り付けるときには係止片３７を取付け姿勢とし、枠体３５が網戸枠３の網戸取付部の室内側面に当接できるようにする。
そして、係止片３７を保持姿勢として前述の網戸取付部３０ａ，３１ａの室外側面に接する。
【００３５】
前記錠５は、図５、図６に示すように、上枠１０の面内方向（長手方向）の中間部に取り付けた錠本体５０と、上框２０の面内方向（長手方向）の中間部に取り付けた錠受け５１を備えている。
前記錠本体５０は、錠受け５１に係脱して施錠、解錠する錠杆５２、例えばラッチを有している。
この錠杆５２は、錠受け５１に係止する係止位置と錠受け５１と離脱する離脱位置とに亘って移動自在で、常時係止位置に保持してあると共に、前述の開き用ワイヤー６ａによって離脱位置に移動する。
しかも、錠受け５１と錠杆５２は、開き位置の障子２が閉じ位置に向けて回動（閉じ動作）することで錠受け５１によって錠杆５２が離脱位置に向けて移動し、障子２が閉じ位置となると錠杆５２が錠受け５１に係止して施錠状態となる。
例えば、錠杆５２を下方の係止位置と上方の離脱位置とに亘って室内外側方向に回動自在で、かつ下方の係止位置と上方の離脱位置とに亘って上下方向に移動自在とし、ばねで係止位置に保持して室外側に向かう外力では離脱位置に向けて回動しないが、上向きの外力で離脱位置に向けて上方に移動するようにしてある。
前記錠杆５２を下方の係止位置で保持して上方の離脱位置に回動しないようにロックするロック材を設け、このロック材をばねで前述のロック位置に保持すると共に、開き用ワイヤー６ａを引張るとロック解除位置に移動し、錠杆５２が離脱位置に回動可能とする。
前記錠受け５１が錠杆５２に干渉すると、錠杆５２に上向きの外力が作用し、その錠杆５２がばねに抗して上方の離脱位置に移動し、錠杆５２が錠受け５１の穴と対向するとばねによって下方に移動して係止位置となる。
なお、図６においては錠本体５０はカバー５０ｂを有し、このカバー５０ｂで前述のロック材、ばね等が覆われている。
【００３６】
このようであるから、後述するように閉じ用ワイヤー６ｂで障子２を閉じ位置とすることで、錠５が自動的に施錠状態となり、障子２を閉じ位置で保持できる。
【００３７】
前記網戸縦枠３２のワイヤー貫通部３２ｃには、ワイヤー貫通穴３４が形成してある。
このワイヤー貫通穴３４は錠本体５０の開き用ワイヤー６ａが連結された部分、例えば前述のロック材と連結されたワイヤー連結部５０ａと面内方向に相対向し、かつ面外方向にほぼ同一位置であると共に、上下方向にほぼ同一位置で、そのワイヤー連結部５０ａに連結した開き用ワイヤー６ａを、前述のワイヤー貫通穴３４に貫通することで、その開き用ワイヤー６ａの錠本体５０と網戸縦枠３２との間の部分は、面内方向に向かうと共に、面外方向には上枠１０とほぼ平行で、ほぼ水平で、そのワイヤー作動方向が一直線状で転向箇所がないようにしてある。
【００３８】
前記開き用滑車７ａは取付部とワイヤー巻掛け部を有する。例えば、図５、図７、図９に示すように、滑車本体７０にプーリ７１を支軸７２で回転自在に取り付け、この滑車本体７０を取付用ブラケット７３に支軸７４で面外方向に揺動可能に取り付けてある。この取付用ブラケット７３が取付部で、プーリ７１がワイヤー巻掛け部である。
前記取付用ブラケット７３を、図４に示すように、網戸縦枠３２の滑車取付部３２ｂの室内側面に固着具、例えば、前述の網戸縦枠３２を滑車ブラケット８に固着する固着具８５で固着して取り付ける。
【００３９】
このように、網戸縦枠３２の滑車取付部３２ｂの室外側面に滑車ブラケット８の網戸枠取付部８ｂが接し、室内側面に取付用ブラケット７３が接して固着具８５で固着し、網戸枠３（網戸縦枠３２）を、開き用滑車７ａ（取付けブラケット７３）と滑車ブラケット８（網戸枠取付部８ｂ）の間で挟むように取り付けてあるので、網戸枠３、開き用滑車７ａの取付け強度を確保できると共に、滑車ブラケット８のみを用いれば良く、網戸３ａの取り付けのために追加する部品等を極力削減できる。
【００４０】
前記プーリ７１の上部がワイヤー貫通穴３４とほぼ同一高さで、かつプーリ７１がワイヤー貫通穴３４と面外方向にほぼ同一位置である。
そして、ワイヤー貫通穴３４を貫通した開き用ワイヤー６ａをプーリ７１（開き用滑車７ａのワイヤー巻掛け部）に巻き掛けて垂れ下げ、ワイヤー作動方向を下向きに転向する。
【００４１】
このように、錠本体５０と網戸縦枠３２との間の開き用ワイヤー６ａは、作動方向が一直線状で転向箇所がなく、前記網戸縦枠３２の室内側に取り付けた開き用滑車７ａで作動方向を下向きに転向したので、開き用ワイヤー６ａを１つの滑車を用いることで網戸枠３の室内側に設けることができる。例えば垂れ下げることができる。
【００４２】
前記開き用ワイヤー６ａの下端部には開き用の操作摘み６０が連結してある。
この操作摘み６０には、「ひらく」の文字と、「引」の文字が付してあり、使用者が操作摘み６０を引くことで障子２が開くことを感知できるようにしてある。
前記支軸７２は面外方向に向かうと共に、水平で、滑車７１は面内方向に沿って回転する。
前記支軸７４は面内方向に向かうと共に、水平で、上下方向に揺動する。
【００４３】
このようであるから、開き用の操作摘み６０を手で持って引き下げることで、開き用ワイヤー６ａが下方に移動して錠本体５０の錠杆５２を離脱位置に移動し、錠５が解錠状態となるので、障子２は付勢手段４で開き位置に向けて回動する。
しかも、錠本体５０のワイヤー連結部５０ａ、ワイヤー貫通穴３４、プーリ７１が面外方向にほぼ同一位置で、そのワイヤー連結部５０ａとプーリ７１との間の開き用ワイヤー６ａが、面内方向に向かうと共に、面外方向に上枠１０とほぼ平行で、水平であるから、１つの滑車７ａに巻き掛けるだけで開き用ワイヤー６ａをスムーズに移動することができる。
【００４４】
前記開き用の操作摘み６０を使用者が真直ぐに下方に移動すれば問題がないが、その操作摘み６０を室内側に動かしながら下方に移動することがある。
この場合にはプーリ７１から垂れ下がった開き用ワイヤー６ａは垂直に対して室内側に向けて斜めの姿勢となるので、図７に仮想線で示すように、プーリ７１が滑車本体７０とともに取付用ブラケット７３に対して面外方向の室内側に向けて揺動する。
これによって、開き用ワイヤー６ａがプーリ７１から外れたりすることがない。
【００４５】
しかも、網戸縦枠３２のワイヤー貫通部３２ｃに形成したワイヤー貫通穴３４は、前記プーリ７１の揺動中心（支軸７４）を中心とする円弧形状であるので、前述のように滑車７１が揺動したときに、その滑車７１に巻き掛けた開き用ワイヤー６ａがワイヤー貫通穴３４と干渉することがない。
【００４６】
前記ワイヤー貫通穴３４に軟質樹脂製のカバーなどの弾性変形可能なカバーを取り付けて閉塞し、開き用ワイヤー６ａの動きによってカバーが弾性変形するようにしても良い。
このようにすれば、ワイヤー貫通穴３４から虫などが侵入することを防止できる。
【００４７】
前記閉じ用ワイヤー６ｂは図５、図６、図８、図９に示すように、障子２の面内方向中間部の上部、例えば、前記錠受け５１の下向片５１ａに連結されている。そして、閉じ用ワイヤー６ｂは上枠１０の面内方向中間部に取り付けた滑車６１に巻き掛けて作動方向を面外方向から面内方向に転向している。
図５、図６では、錠本体５０にブラケット６２で滑車６１が取り付けてあるので、面内方向に向かう閉じ用ワイヤー６ｂは面内方向に向かう開き用ワイヤー６ａよりも下方に位置している。
これにより、左右他方の網戸縦枠３２のワイヤー貫通部３２ｃに形成したワイヤー貫通穴３４は、左右一方の網戸縦枠３２に形成したワイヤー貫通穴３４よりも下方に位置している。
【００４８】
前記閉じ用滑車７ｂは開き用滑車７ａと同一で、左右他方の網戸縦枠３２の滑車取付部３２ｂに、滑車ブラケット８とともに前述と同様に固着具８５で固着して取り付けてある。
この閉じ用滑車７ｂは前述の開き用滑車７ａよりも下方に位置している。
【００４９】
前記閉じ用ワイヤー６ｂは、左右他方の網戸縦枠３２に形成したワイヤー貫通穴３４から室内に貫通し、閉じ用滑車７ｂ（プーリ７１）を経て室内側に設けてある。例えば垂れ下げてある。
この閉じ用ワイヤー６ｂの下端部には閉じ用の操作摘み６３が連結してある。
この操作摘み６３には、「とじる」の文字と、「引」の文字が付してあり、使用者が操作摘み６０を引くことで障子２が閉じることを感知できるようにしてある。
【００５０】
このようであるから、操作摘み６３を手で持って室内側に斜めに引くことで開き位置の障子を閉じ位置に向けて回動することができる。
【００５１】
以上の実施の形態では、ブラケット（滑車ブラケット８、網戸ブラケット９）を用いて網戸枠３をサッシ枠１に取り付けしたが、ブラケットを用いずに網戸枠３をサッシ枠１に直接固着して取り付けるようにしても良い。
例えば、網戸縦枠３２の室外側部３２ａを縦枠１２の室内側取付片１２ｂに固着具で固着して取り付ける。この場合、その室内側取付片１２ｂと室外側部３２ａとの間にスペーサを設けることが好ましい。
また、網戸枠３をサッシ枠１に後付けできるようにしたが、サッシ枠１に網戸枠３を取り付けた状態で、サッシ枠１を建物躯体に取り付けるようにしても良い。
また、外倒し窓に限ることはなく、外開き窓のように障子を開いたときに、その障子がサッシ枠の室外側に突出し、そのサッシ枠の室内側に取り付けた網戸と障子が干渉しないようなサッシ窓であれば良い。
【符号の説明】
【００５２】
１…サッシ枠、２…障子、３…網戸枠、３ａ…網戸、４…付勢手段、５…錠、６ａ…開き用ワイヤー、６ｂ…閉じ用ワイヤー、７ａ…開き用滑車、７ｂ…閉じ用滑車、８…滑車ブラケット、８ａ…枠取付部、８ｂ…網戸枠取付部、９…網戸ブラケット、１０…上枠、２０…上框、３２…網戸縦枠、３２ｂ…滑車取付部、３４…ワイヤー貫通穴、５０…錠本体、５１…錠受け、５２…錠杆、７１…プーリ（ワイヤー巻掛け部）、７３…取付用ブラケット。
【図１】
0005403620.tif 000002
【図２】
0005403620.tif 000003
【図３】
0005403620.tif 000004
【図４】
0005403620.tif 000005
【図５】
0005403620.tif 000006
【図６】
0005403620.tif 000007
【図７】
0005403620.tif 000008
【図８】
0005403620.tif 000009
【図９】
0005403620.tif 000010